(57)【要約】【課題】締結すべきファスナの形式に依存せず，常に一様な顎部材の開放特性を実現し，ファスナを効果的にガイド可能とした動力型ファスナ締結装置用のファスナ供給装置を提案する。【解決手段】ファスナ供給装置（１０）は，ファスナ締結装置（４０）に結合可能な第１構造ユニット（１１）と，第１構造ユニット（１１）上で変位可能に支持される第２構造ユニット（１９）とを具える。第２構造ユニット（１９）は，基材（Ｕ）に対して当接可能な頭部（２０）と，締結工具（１３）のために工具軸線（Ａ）の両側に配置され，閉鎖位置（１６）と開放位置（１７）との間で可逆的に旋回変位可能な顎部材（２１，２２）とを有する。顎部材（２１，２２）に配置した操作手段（２４）を第１構造ユニット（１１）に作用させて，顎部材（２１，２２）を閉鎖位置（１６）から開放位置（１７）まで操作可能とする。【選択図】図１
2006334775.tif 000002
【特許請求の範囲】
【請求項１】
動力型ファスナ締結装置（４０）を対象とするファスナ供給装置（１０）であって，ファスナ締結装置（４０）に結合可能な第１構造ユニット（１１）と，第１構造ユニット（１１）上で変位可能に支持される第２構造ユニット（１９）とを具え，第２構造ユニット（１９）が，基材（Ｕ）に対して当接可能な頭部（２０）と，締結工具（１３）のために工具軸線（Ａ）の両側に配置された顎部材（２１，２２）とを有し，顎部材（２１，２２）が閉鎖位置（１６）と開放位置（１７）との間で可逆的に旋回変位可能であり，閉鎖位置（１６）で顎部材（２１，２２）の顎部（２３）が工具軸線（Ａ）に対して最小間隔まで接近し，開放位置（１７）では顎部材（２１，２２）の顎部（２３）が工具軸線（Ａ）からより大きな間隔をもって離間するファスナ供給装置において，
顎部材（２１，２２）に操作手段（２４）が配置され，該操作手段（２４）が，制御手段により第１構造ユニット（１１）に作用して顎部材（２１，２２）を閉鎖位置（１６）から開放位置（１７）まで操作可能としたことを特徴とするファスナ供給装置。
【請求項２】
請求項１に記載の装置であって，第１構造ユニット（１１）がハウジングとして構成され，制御手段（１２）がハウジング内面により構成されることを特徴とするファスナ供給装置。
【請求項３】
請求項１または２に記載の装置であって，操作手段（２４）が，工具軸線（Ａ）から遠ざかる方向に向けて顎部材（２１，２２）から突出する突部として構成されていることを特徴とするファスナ供給装置。
【請求項４】
請求項３に記載の装置であって，突部が，第１構造ユニット（１１）に対向するランプ状またはドーム状の作用面（１５）を有することを特徴とするファスナ供給装置。
【発明の詳細な説明】
【技術分野】
【０００１】
本発明は，請求項１の前段に記載した構成を有する，動力型ファスナ締結装置に好適に適用可能なファスナ供給装置に関するものである。
【背景技術】
【０００２】
ねじ締め装置等の動力型ファスナ締結装置を対象とするファスナ供給装置は，基材に当接させる頭部を具え，ねじ等のファスナを締結工程前および締結工程中にガイドする構成とされている。頭部は，例えば締結装置のフランジに結合されるファスナマガジンまたはファスナ送り装置の一部で構成することができる。
【０００３】
特許文献１：米国特許出願公開２００２／０１０８９９５Ａ１号公報は，ファスナ締結装置用のファスナ供給装置を記載しており，このファスナ供給装置は第１構造ユニットにおいて締結装置のフランジ対し，クランプリングを介して結合されている。ファスナ供給装置の第２構造ユニットは第１構造ユニットに対して伸縮可能に配置され，締結方向側に位置する端部がノーズとして構成され，そのノーズはファスナをガイドするための２個の顎部材を具え，これらの顎部材は互いに対向して旋回可能に配置されている。閉鎖状態，すなわち顎部材の端部が互いに接触する状態で，顎部材はファスナをガイドすることが可能である。締結工程の間，２本のロッドが各顎部材の制御肩部から突出し，顎部材の互いに遠ざかる方向への旋回，したがって開放を生じさせる。このような開放は，更なる締結工程の間，ファスナが顎部材のファスナに対向する内面を通過する際に生じるものである。
【特許文献１】米国特許出願公開２００２／０１０８９９５Ａ１号公報
【０００４】
特許文献１に記載されているねじ供給装置は，一般的には，ファスナのシャンクに対して拡大している頭部により顎部材を完全に開放させるものであり，顎部の完全な開放に必要とされる力がファスナ頭部の直径および形態に依存するものである。すなわち，顎部材の開放特性は，ファスナの形式が異なる場合には変化することとなる。
【発明の開示】
【発明が解決しようとする課題】
【０００５】
本発明の課題は，上述した欠点を解消することができ，締結すべきファスナの形式に依存することなく，常に一様な顎部材の開放特性を実現し，ファスナを効果的にガイド可能としたファスナ供給装置を提案することである。
【課題を解決するための手段】
【０００６】
上記の課題は，請求項１に記載した手段により解決されるものである。
【０００７】
すなわち，本発明によるファスナ供給装置は，顎部材に操作手段が配置され，該操作手段が，制御手段により第１構造ユニットに作用して顎部材を閉鎖位置から開放位置まで操作可能としたことを特徴とする。
【０００８】
本発明によれば，ファスナの形式や頭部の直径に依存することなく，常に一様な顎部材の開放特性を実現することが可能である。したがって，顎部材の開放に必要とされる力は常に一定に維持することができる。さらに，ファスナを最適条件下でガイドすることが可能である。
【０００９】
本発明の好適な実施形態においては，第１構造ユニットをハウジングとして構成し，制御手段をハウジング内面により構成する。この場合には制御手段を，付加的な構造を必要とせず，技術的に容易な手法で実現することが可能である。
【００１０】
本発明の更に好適な実施形態において，操作手段は，工具軸線から遠ざかる方向に向けて顎部材から突出する突部として構成されている。このような操作手段は，締結工程に際して第２構造ユニットが第１構造ユニット内に押し込まれる構成とすることにより，第１構造ユニットにおける制御手段と容易に協働させることが可能である。
【００１１】
本発明の更に好適な実施形態において，突部は，第１構造ユニットに対向するランプ状またはドーム状の作用面を有する。この場合には，制御手段により顎部材を旋回させる際に引っ掛かりを緩和することができ，所要の操作力を提言することが可能である。
【発明を実施するための最良の形態】
【００１２】
以下，本発明を図示の好適な実施形態について更に詳述する。
【００１３】
図１〜図３において全体を参照数字１０で表した本発明に係るファスナ供給装置は，その結合部１４において，工具側端部のみを図示した動力型締結装置４０における保持突部として構成された対応結合部４１と着脱可能に結合されるものである。動力型締結装置４０は，例えば電動ねじ締め装置で構成することができる。結合部１４は，締結装置４０の対応結合部41と係合可能な受け１７を有する。ファスナ供給装置１０は，マガジンストリップ３２を送るための送り機構１６を一体化させたマガジンとして構成されている。ファスナ供給装置１０内にはファスナ締結用工具としてのビット１３が挿入され，このビット１３は動力型締結装置４０により回転駆動されるものでる。
【００１４】
ファスナ供給装置１０は，ファスナ締結装置４０に結合可能な第１構造ユニット１１と，第１構造ユニット１１上で変位可能に支持される第２構造ユニット１９とを具える。第２構造ユニット１９は送り機構３２を担持し，マガジンストリップ３２をガイドするものである。第２構造ユニット１９は頭部２０を有し，その端面１８において区材Ｕに当接可能とされている。頭部２０には，ビット１３の工具軸線Ａの両側に顎部材２１，２２が配置されている。顎部材２１，２２は旋回軸受２５を介して頭部２０に保持され，端面１８に対向する端部に顎部２３が設けられ，顎部２３は図１に示す閉鎖位置１６と図２に示す開放位置１７との間で可逆的に旋回変位可能とされている。顎部材２１，２２の顎部２３は，閉鎖位置１６では工具軸線Ａに対して最小間隔まで接近し，ねじ等のファスナ３１を保持し，かつガイドする。顎部３２はファスナ３１をガイドするためにガイドチャネルの一部を構成しこのガイドチャネルをファスナが貫通する。顎部材２１，２２は，顎部２３と頭部２０における突部２７との間に配置された弾性部材２６により閉鎖位置１６に向けて男性的に附勢されている。端面１８とは反対側に位置する顎部材２１，２２の端部において，突部として形成された操作手段２４を配置する。操作手段２４は，工具軸線Ａから離れる方向に向けて顎部材２１，２２から突出している。第１構造ユニット１１に対向する操作手段２４の表面は，ランプ状またはドーム状の作用面１５として形成されている。
【００１５】
第１構造ユニット１１に制御手段１２を配置する。制御手段１２は第１構造ユニット１１の内壁で構成する。この内壁に対して操作手段２４をその作用面１５に沿って変位可能とする。
【００１６】
ファスナ締結装置４０をファスナ供給装置１０との結合状態で基材Ｕに対して押圧し，ファスナ３１を基材Ｕに締結する場合，第２構造ユニット１９が第１構造ユニット１１内に押し込まれる。その動きを矢印３３で示す。この動きの間，操作手段はその作用面１５をもって顎部材２１，２２に沿い，第１構造ユニット１１の制御手段１２に抗して変位し，その接触の結果として工具軸線Ａに向けて変位するものである。そのため，顎部材２１，２２が閉鎖位置１６から開放位置１７まで変位し，開放位置ではファスナがもはやガイドされず，解放される。その状態で顎部２３は，閉鎖位置におけるよりも大きな間隔をもって工具軸線Ａから離間している。顎部２３の離間変位はファスナ３１が基材Ｕに完全に締結される以前に生じさせる。
【図面の簡単な説明】
【００１７】
【図１】本発明に係るファスナ供給装置をファスナの締結状態で上方から見た平面図である。
【図２】図１のファスナ供給装置の，更なる締結工程における作動を示す平面図である。
【図３】図２のファスナ供給装置を下方から見た説明図である。
【符号の説明】
【００１８】
１０  ファスナ供給装置
１１  第１構造ユニット
１５  作用面
１６  開放位置
１７  閉鎖位置
１９  第２構造ユニット
２０  頭部
２１，２２  顎部材
２３  顎部
２４  操作手段
【図１】
2006334775.tif 000003
【図２】
2006334775.tif 000004
【図３】
2006334775.tif 000005